(57)【要約】【課題】デジタル放送受信装置においてデータ放送の受信再生を早める。【解決手段】受信した番組対応テーブル（ＰＭＴ）を受信チャンネル毎に記憶部に一時的に記憶しておき、特定の受信チャンネルのデータ放送受信開始時に、当該受信チャンネルについて記憶しておいた番組対応テーブルを参照して当該受信チャンネルの放送波からセクションデータを抽出して記憶部に一時的に記憶する。その後、当該放送波から番組対応テーブルを取得したとき、この番組対応テーブルを前記記憶しておいた番組対応テーブルと比較し、両番組対応テーブルが一致したとき、前記一時記憶しておいたセクションデータを有効化する。両番組対応テーブルが一致しなかったとき、前記一時記憶しておいたセクションデータを無効化し、前記取得した番組対応テーブルに基づいて新たなセクションデータを抽出する。【選択図】図４
2010056959.tif 000002
【特許請求の範囲】
【請求項１】
データを記憶する記憶手段と、
データ放送を受信する受信手段と、
前記受信手段により受信したデータ放送の表示を制御する制御手段とを備え、
前記制御手段は、
受信した番組対応テーブルを受信チャンネル毎に前記記憶手段に一時的に記憶しておき、
特定の受信チャンネルのデータ放送受信開始時に、当該受信チャンネルについて記憶しておいた番組対応テーブルを参照して当該受信チャンネルの放送波からセクションデータを抽出して前記記憶手段に一時的に記憶し、
その後、当該放送波から番組対応テーブルを取得したとき、この番組対応テーブルを前記記憶しておいた番組対応テーブルと比較し、
両番組対応テーブルが一致したとき、前記一時記憶しておいたセクションデータを有効化し、
両番組対応テーブルが一致しなかったとき、前記一時記憶しておいたセクションデータを無効化し、前記取得した番組対応テーブルに基づいて新たなセクションデータを抽出する
ことを特徴とするデジタルテレビ放送受信装置。
【請求項２】
前記記憶手段は、受信チャンネル毎に番組対応テーブルを記憶する領域と、複数の受信チャンネルに共通にセクションデータを記憶する領域とを含む請求項１に記載のデジタルテレビ放送受信装置。
【請求項３】
デジタルテレビ放送受信装置におけるデータ放送の受信再生を行うコンピュータプログラムであって、
受信した番組対応テーブルを受信チャンネル毎に記憶しておくステップと、
特定の受信チャンネルのデータ放送受信開始時に、当該受信チャンネルについて記憶しておいた番組対応テーブルを参照して当該受信チャンネルの放送波からセクションデータを抽出して一時的に記憶するステップと、
その後、当該放送波から番組対応テーブルを取得したとき、この番組対応テーブルを前記記憶しておいた番組対応テーブルと比較するステップと、
両番組対応テーブルが一致したとき、前記一時記憶しておいたセクションデータを有効化するステップと、
両番組対応テーブルが一致しなかったとき、前記一時記憶しておいたセクションデータを無効化し、前記取得した番組対応テーブルに基づいて新たなセクションデータを抽出するステップと
をコンピュータに実行させるコンピュータプログラム。
【請求項４】
受信チャンネルが変わる毎に、過去に記憶されたセクションデータを無効とするステップを含む請求項３に記載のコンピュータプログラム。
【請求項５】
請求項３または４に記載されたコンピュータプログラムをコンピュータ読み出し可能に記録した記録媒体。
【発明の詳細な説明】
【技術分野】
【０００１】
本発明は、データ放送を受信再生可能なデジタルテレビ放送受信装置、コンピュータプログラムおよび記録媒体に関する。
【背景技術】
【０００２】
近年、地上デジタル放送の受信機が普及してきている。特にそのいわゆる１セグ放送により携帯電話端末などの携帯受信機でもテレビ放送を受信再生できるようになっている。
【０００３】
デジタル放送では、映像および音声の他、いわゆるデータ放送コンテンツと呼ばれるデータも含まれている。デジタル放送受信装置の表示画面には、映像を表示する領域の他、データ放送コンテンツを表示する領域も同時に確保されうる。
【０００４】
デジタル放送受信装置では、選局時に画面に何も表示されず、音声も出力されない状態が発生する。これは、テレビ機能のＯＮ時のみならず、チャンネルの切替時点においても同様である。
【０００５】
このような問題に関して、電源を切断した状態から電源を再投入したときに、視聴する番組を短時間に受信できるようにする技術が提案されている（特許文献１参照）。この技術では、受信している番組の周波数、番組番号およびＰＭＴ（Program Map Table：番組対応テーブル）のＰＩＤ（Packet ID）をＥＥＰＲＯＭに書き込んでおく。電源再投入時に、ＥＥＰＲＯＭ内のＰＭＴのＰＩＤを読み出し、これに基づいてＰＭＴを受信し、このＰＭＴで示される番組を構成するストリームのＰＩＤから、その番組のＰＩＤを検知し、そのＰＩＤにより視聴する番組を受信する。
【０００６】
また、受信されたデジタル放送波に含まれる映像識別情報（Audio Stream PID）と音声識別情報(Video Stream PID)と時刻基準情報識別情報(PCR PID)を予測処理を導入し、データ放送の受信再生を高速化する技術が提案されている（特許文献２参照）。
【特許文献１】特開平１１−３０８５８０号公報
【特許文献２】特開２００１−３４６１０９号公報
【非特許文献１】株式会社インプレス  ネットビジネスカンパニー社、２００５年６月２１日発行、「インプレス標準教科書シリーズ  １セグ放送教科書」ｐ２１６〜２１９、Ｐ２２５〜２２６
【発明の開示】
【発明が解決しようとする課題】
【０００７】
上記特許文献に記載のようにデジタル放送受信装置において選局処理を高速化する技術は、いずれも映像および音声の出力を早めることを目的とするものであり、データ放送の受信再生の所要時間を短縮するものではない。また、上記特許文献の技術はＰＭＴのＰＩＤの取得を早めるものであって、ＰＭＴ自体の取得を早めるものではない。
【０００８】
本発明はこのような背景においてなされたものであり、デジタル放送受信装置においてデータ放送の受信再生を早めることを目的とする。
【課題を解決するための手段】
【０００９】
本発明によるデジタルテレビ放送受信装置は、データを記憶する記憶手段と、データ放送を受信する受信手段と、前記受信手段により受信したデータ放送の表示を制御する制御手段とを備える。この制御手段は、受信した番組対応テーブルを受信チャンネル毎に前記記憶手段に一時的に記憶しておき、特定の受信チャンネルのデータ放送受信開始時に、当該受信チャンネルについて記憶しておいた番組対応テーブルを参照して当該受信チャンネルの放送波からセクションデータを抽出して前記記憶手段に一時的に記憶し、その後、当該放送波から番組対応テーブルを取得したとき、この番組対応テーブルを前記記憶しておいた番組対応テーブルと比較し、両番組対応テーブルが一致したとき、前記一時記憶しておいたセクションデータを有効化し、両番組対応テーブルが一致しなかったとき、前記一時記憶しておいたセクションデータを無効化し、前記取得した番組対応テーブルに基づいて新たなセクションデータを抽出する。
【００１０】
本発明では、記憶手段に番組対応テーブルを一時的に記憶しておき、特定の受信チャンネルのデータ放送受信開始時に、その番組対応テーブルを利用してセクションデータを仮に取得しておき、実際の番組対応テーブルの受信時にその有効性を確認する。有効性が確認されたときには、既に取得済のセクションデータを利用して早期にデータ放送の再生を開始する。
【００１１】
前記記憶手段は、好ましくは、受信チャンネル毎に番組対応テーブルを記憶する領域と、複数の受信チャンネルに共通にセクションデータを記憶する領域とを含む。
【００１２】
本発明によるコンピュータプログラムは、デジタルテレビ放送受信装置におけるデータ放送の受信再生を行うコンピュータプログラムであって、受信した番組対応テーブルを受信チャンネル毎に記憶しておくステップと、特定の受信チャンネルのデータ放送受信開始時に、当該受信チャンネルについて記憶しておいた番組対応テーブルを参照して当該受信チャンネルの放送波からセクションデータを抽出して一時的に記憶するステップと、その後、当該放送波から番組対応テーブルを取得したとき、この番組対応テーブルを前記記憶しておいた番組対応テーブルと比較するステップと、両番組対応テーブルが一致したとき、前記一時記憶しておいたセクションデータを有効化するステップと、両番組対応テーブルが一致しなかったとき、前記一時記憶しておいたセクションデータを無効化し、前記取得した番組対応テーブルに基づいて新たなセクションデータを抽出するステップとをコンピュータに実行させるものである。
【００１３】
本発明は、上記コンピュータプログラムをコンピュータ読み出し可能に記録した記録媒体としても把握しうる。
【発明の効果】
【００１４】
本発明によれば、デジタル放送受信装置においてデータ放送の受信再生を早めることができる。また、本発明は、ハードウェアによらず、ソフトウェアで実現可能である。
【発明を実施するための最良の形態】
【００１５】
以下、本発明のデジタル放送受信装置の好適な実施の形態について、図面を参照しながら詳細に説明する。
【００１６】
図１に本実施の形態におけるデジタル放送受信装置の概略の内部構成を表したブロック図を示す。以下では、１セグ放送の受信装置を例として説明する。但し、本発明は１セグ放送に限るものではなく、フルセグ放送の受信装置にも適用可能である。
【００１７】
デジタル放送受信装置１００において、放送波はアンテナ１０１により受信され、受信処理部１０２のチューナ１０２ａで選局され、復調部１０２ｂで復調処理される。受信処理部１０２は制御部１１０により制御される。制御部１１０は、ＣＰＵなどの処理手段により実現される。受信処理部１０２の出力は、デマルチプレクサと呼ばれる分離部１０３に入力される。分離部１０３は、受信処理部１０２で受信されたトランスポートストリーム（ＴＳ）に多重化されている映像、音声、データの分離、およびデータ内のセクションの抽出（フィルタリング）を行う。
【００１８】
分離部１０３でＴＳから分離された映像および音声のＥＳ（Elementary Stream）が、ＭＰＥＧデコーダ（画像デコーダおよび音声デコーダを含む）である復号部１０４により、映像データ列および音声データ列に分離される。映像データ列および音声データ列は、ＡＶ（Audio Video）処理部１３１で処理され、それぞれ映像信号および音声信号に変換される。映像信号は、表示部１０９に出力され、表示画面上に映像として表示される。音声信号はスピーカ１０８に出力され、音として放出される。
【００１９】
分離部１０３は、分離されたデータ放送のデータから、後述するセクションのデータを分離するセクションフィルタ１０３ａを含む。セクションフィルタ１０３ａにより抽出された各セクションのデータは記憶部１１１内のキャッシュ部１２０に一時的に記憶される。キャッシュ部１２０は受信チャンネル毎にＰＭＴを記憶する領域であるＰＭＴのキャッシュ部１２１と、複数の受信チャンネルに共通にその他のセクションデータを一時記憶する記憶領域であるキャッシュ部１２２を含む。このキャッシュ部１２２については、受信チャンネルが変わる毎に、過去に記憶されたセクションデータは無効となり、記憶されているセクションデータは新たなセクションデータで更新される。
【００２０】
記憶部１１１は、不揮発性メモリであるＲＯＭ、フラッシュメモリ等、および揮発性メモリであるＲＡＭを含みうる。図示しないが、制御部１１０が実行するコンピュータプログラムの記憶領域、および各種データの記憶領域、さらには作業用のデータ領域等を有する。キャッシュ部１２０は、受信装置の電源オフ中にもデータが維持される不揮発性の記憶領域であることが好ましい。記憶部１１１は、大容量の不揮発性記憶装置として例えばＨＤＤ等を備えてもよい。
【００２１】
データ放送のストリームは、制御部１１０上で動作するＢＭＬブラウザなどのソフトウェアで構成されるデータ放送処理部１３２により表示情報に変換され、表示部１０９に表示される。制御部１１０はこれ以外にもこの受信装置の各部を制御し受信装置全体の処理を司る。
【００２２】
操作部１１３は各種キーやリモートコントローラ（リモコン）等のユーザによる入力操作および入力情報を受け付ける部位である。
【００２３】
図２により１セグ放送のトランスポートストリームについて説明する。
【００２４】
１セグ放送では、各チャンネルの内容は、ＭＰＥＧ−２システムで規定されるトランスポートストリーム（ＴＳ）という形式で映像、音声および付加データを多重化したものが伝送される。ＴＳは、固定長のパケットであるＴＳパケットの列で構成される。ＴＳパケットは、図２に示すように、ヘッダと、アダプテーションフィールドと、ペイロードとからなる。ヘッダにはパケット識別子（ＰＩＤ）や各種フラグが適宜格納されている。アダプテーションフィールドには、映像や音声などを同期再生させるために必要な基準時間情報（ＰＣＲ：Program Clock Reference）、ＴＳパケットを１８８バイト固定長にするためのスタッフィングデータ（調整用のダミーデータ）が格納されている。
【００２５】
ペイロードには、映像、音声、付加データなどのデータが格納されている。映像、音声、字幕など、時間に同期して再生する必要があるストリームは、ＰＥＳ（Packetized Elementary Stream）と呼ばれるパケット形式で格納される。他方、データ放送などの付加データは「セクション」と呼ばれる形式で格納される。１ペイロードの最大サイズに納まらないＰＥＳやセクションは複数のＴＳパケットに分割され、それぞれの開始パケットは上記ヘッダに定義されているパケットユニット開始（ＰＵＳＩ）フラグにより識別される。したがって、同じＰＩＤを持つ複数のペイロードを連結することにより、ＰＥＳやセクションを復元することができる。
【００２６】
また、ＴＳでは複数の番組を取り扱うことができる。そこで、そのＴＳにどのような番組が含まれ、ＴＳに含まれる各ＥＳがどの番組に属しているかを記した情報、すなわち番組の構成情報や、各番組を構成する要素（コンポーネント）などのテーブル情報がセクション形式で多重化されている。このテーブル情報はＰＳＩ（Program Specific Information:番組特定情報）と呼ばれる。ＰＳＩは、映像や音声とは別のＰＩＤを持つＴＳパケットとして、ＴＳに挿入される。ＰＳＩには、ＰＡＴ（Program Association Table:番組統合テーブル）、ＰＭＴ（Program Map Table:番組対応テーブル）などが含まれる。
【００２７】
ＰＭＴは番組毎に存在する。ＰＭＴには、番組に含まれる映像、音声などのストリームの属性情報、およびそれぞれのストリームが格納されているパケットのＰＩＤが記述される。さらに、ＰＭＴにはストリームを再生するための基準となる時間情報であるＰＣＴ（Program Clock Reference:番組時刻基準値情報）およびＰＣＲを格納しているＴＳパケットのＰＩＤが記述される。その送出周期はデフォルト２００ｍｓ（最大５００ｍｓ）と規定されている。
【００２８】
ＰＡＴには、ＴＳに含まれる番組の構成情報を示すためにＰＭＴのＰＩＤが記述される。但し、１セグ放送では、ＰＡＴは伝送されず、ＰＭＴのＰＩＤはＮＩＴ（Network Information Table:ネットワーク情報テーブル）内に記述されているサービスＩＤを元に直接算出できるようになっている。
【００２９】
なお、ＰＳＩを拡張して番組情報などを含めた情報としてＳＩ（Service Information）が規定されている。ＳＩはＰＳＩの一部であると見なして、ＰＳＩとともにＰＳＩ／ＳＩ情報と呼ばれる。ＳＩには、ＮＩＴ、ＥＩＴ（Event Information Table）、ＰＣＲ（Program Clock Reference）、ＢＩＴ（Broadcaster Information Table）などが含まれる。
【００３０】
ＮＩＴは、選局を行う際に使用する情報が含まれている。例えば、当該放送局が放送するＴＳの情報、放送事業者のデフォルトのリモコン番号、放送事業者が提供するチャンネルの周波数情報や変調方式などの情報を含む。ＮＩＴのＰＩＤは０ｘ０１に固定されている。そのデフォルトの送出周期は１秒に１回となっている。
【００３１】
ＥＩＴは、ＥＰＧ情報ならびに、番組名および番組内容等の番組情報を含んでいる。ＢＩＴは、放送事業者を示す情報や放送事業者の系列ＩＤ、ＳＩ情報の送出周期などの情報を含む。これらの送出周期はいずれも１秒に１回である。
【００３２】
１セグ放送を再生するには、ＴＳに多重化されている個々のコンポーネント（映像、音声、データ等）を分離する必要があり、図１内に示した分離部１０３がこの処理を行う。セクションについては、セクションフィルタ１０３ａによりさらなる抽出が必要である。
【００３３】
データ放送で使用されるコンテンツデータは、データカルーセル伝送方式と呼ばれる方式で伝送される。この方式では、同一データが一定期間繰り返し伝送される。コンテンツデータはモジュールと呼ばれる単位で繰り返し伝送され、この繰り返し伝送されるモジュールの集合はカルーセルとよばれる。データカルーセル伝送方式では、ＤＳＭ−ＣＣセクションと呼ばれるセクションを伝送する。このセクションは、ＤＩＩ（Download Info Indication:ダウンロード情報表示）、およびＤＤＢ（Download Data Block:ダウンロードデータブロック）からなる。ＤＩＩは、カルーセルのモジュール情報などを伝達するために用いられ、カルーセルのＩＤ、サイズ、バージョン番号、カルーセルに含まれるモジュールに関する各種情報を含む。ＤＩＩの内容を監視することで、モジュールの更新があった等を判断することができる。ＤＤＢは、実際のモジュール本体を伝送するために用いられ、各モジュールを複数のブロックに分割したブロックデータを含む。
【００３４】
図３により、地上デジタル放送のサービス伝送モデルを説明する（非特許文献１参照）。地上デジタル放送用の周波数は１３ｃｈ（４７０ＭＨｚ）から６２ｃｈ（７７０ＭＨｚ）の物理チャンネルを含む。１チャンネルのチャンネル幅６ＭＨｚを１４等分した幅の１４個の伝送セグメントのうち１３個を用いて地上デジタル放送が行われる（残りの１セグメントは隣接するチャンネルとの干渉を避けるためのガードバンドとして用いられる。）１３個の伝送セグメントのうち１２セグメントは固定受信を前提とした放送に利用され、１セグメントを携帯受信機による受信を前提とした放送に利用される。
【００３５】
トランスポートストリームには、前記ＮＩＴが必ず１つ多重化されている。ＮＩＴ内には、前述のように、その周波数、リモコンＩＤ（リモコンの選択ボタン番号）、サービスＩＤ（最大３個まで）が記述されている。デジタル放送では同じ放送局の同じ周波数のチャンネルで複数のコンテンツを同時に放送できるようになっており、それらのサービスを識別する情報がサービスＩＤである。このサービスＩＤによりＰＭＴのＰＩＤ（Packet IDentifier：パケット識別子）が特定される。ＰＭＴには当該番組を構成する映像、音声、字幕、データ等の各種コンポーネント（番組構成要素）のＴＳパケットのＰＩＤが記述されている。上述したように、同じＰＩＤを持つ複数のＴＳパケットのペイロードを連結することにより、当該コンポーネントを復元することができる。
【００３６】
各種テーブルやデータのＰＩＤおよびその決定の仕方の対応関係は次のとおりである。なお、ＰＩＤを表す数値における”０ｘ”は１６進数を表す。
PID           テーブルやデータ
0x0000        PAT
0x0010        NIT
0x0012        EIT
PAT間接指定   PMT(ワンセグの場合、service_idからPIDを決定)
PMT間接指定   映像
PMT間接指定   音声
PMT間接指定   字幕
PMT間接指定   DII/DDB
（DIIに含まれるモジュールのDDBは、DIIと同一のPIDを使用）
PMT間接指定   L-EIT(Local-EIT)
【００３７】
ところで、１セグ放送におけるＰＭＴは上述のようにデフォルト値２００ｍｓ（最大５００ｍｓ）の周期で送出されることになっており、選局時のＰＭＴ受信要求が発生する時点によって、最大でその送出周期分の待機時間が発生する。すなわち、ＰＭＴが受信（取得）されて始めてデータのＴＳパケットのＰＩＤが判明するため、例えば、ＰＭＴ受信要求がＰＭＴの送出時期の直後に発生した場合、ＰＭＴを取得するにはＰＭＴの次の送出時期まで待機しなければならない。そのため、後続のＤＩＩの受信およびＤＤＢの受信が遅れてしまう。従来技術において説明したようにＰＭＴのＰＩＤが早期に判明した場合でも同じ問題が残る。
【００３８】
そこで、本発明では、一旦受信したＰＭＴ（番組対応テーブル）を受信チャンネル毎に記憶しておき、特定の受信チャンネルのデータ放送受信開始時に、当該受信チャンネルについて記憶しておいたＰＭＴを参照して当該受信チャンネルの放送波からデータのＴＳパケットを受信し、セクションフィルタ１０３ａによるフィルタリングを開始し、セクションデータを抽出して一時的に記憶しておく。その後、当該放送波からＰＭＴを取得したとき、このＰＭＴを前記記憶しておいたＰＭＴと比較し、両ＰＭＴが一致したとき、前記一時記憶しておいたセクションデータを有効化して用いる。両ＰＭＴが一致しなかったとき、前記一時記憶しておいたセクションデータを無効化し、前記取得したＰＭＴに基づいて新たなセクションデータを抽出する。
【００３９】
図４により、本実施の形態におけるデータ放送受信開始から再生開始までのシーケンスを従来のそれと対比して示す。図４（ａ）は従来のシーケンスを示し、図４（ｂ）は本実施の形態のシーケンスを示している。
【００４０】
図４（ａ）（ｂ）のＴＳは、データ放送に関連した部分のみを示している。上述したように、データ放送で使用されるコンテンツデータは、同一データが一定期間繰り返し伝送される。受信装置にとって、ＰＭＴ、ＤＩＩ、ＤＤＢ、ＥＩＴ、ＢＩＴなどのセクションデータが周期的に伝送されてくる際、どのタイミングでＰＭＴ受信要求が発生するかによって、その要求発生時点からデータ放送再生開始の時点までの所要時間が異なってくる。なお、セクションデータの種類によって伝送の周期は異なりうる。
【００４１】
図４（ａ）に示した例では、ＰＭＴの伝送終了直後の時点ｔ１にＰＭＴ受信要求が発生している。ＰＭＴから各要素のＰＩＤが判明するため、ＰＭＴの内容を認識するためには次のＰＭＴの伝送時点である時点ｔ２まで待機する必要がある。この時点でＰＭＴの内容を確認できるので、その後の時点ｔ３でＤＩＩを受信し、時点ｔ４でＤＤＢ（通常複数個）の受信を開始することができる。ひととおりのセクションデータを受信した時点ｔ５でデータ放送の再生が開始される。
【００４２】
これに対して、本願発明の手法によれば、図４（ｂ）に示すように、図４（ａ）の例の時点ｔ１と同じ時点ｔ１１にＰＭＴ受信要求が発生したとしても、記憶済のＰＭＴの内容を仮に利用することにより、各要素のＰＩＤを確認した後の時点ｔ１２で直ちにＤＩＩを受信し、ついで時点ｔ１３でＤＢＢの受信を開始する。続くＥＩＴ，ＢＩＴなども受信する。これらの受信したセクションデータは、キャッシュ部に一時記憶しておく。図４（ａ）の場合の時点ｔ２と同じ時点ｔ１４で、新たなＰＭＴを受信して確認することができる。このとき、この新たなＰＭＴの内容と、記憶済のＰＭＴの内容とを比較する。この比較の具体的な方法としては、両ＰＭＴの内容全体を逐一対比する必要はなく、ＣＲＣなどのチェックコードを対比することによって行える。両ＰＭＴの一致が確認されたとき、キャッシュ部に一時記憶していたセクションデータを有効化する。さらに不足するセクションデータを受信した後の時点ｔ１５でデータ放送の再生を開始する。図４（ａ）（ｂ）のタイミング図を比較して分かるように、図４（ｂ）の手法によれば、データ放送再生をより早い時点で開始することができる。
【００４３】
次に、図５および図６にそれぞれ、データ放送受信開始から再生開始までの受信装置の従来の処理手順、および、本実施の形態の処理手順を示す。この処理は、制御部１１０が記憶部１１１内の制御プログラムを実行することにより実現される。
【００４４】
まず、図５の処理手順について説明する。
【００４５】
データ放送受信開始時にＰＭＴ受信要求があったとき（Ｓ１１）、ＰＭＴの受信を待機する（Ｓ１２）。ＰＭＴを受信した後、ＰＳＩ／ＳＩの受信を開始する（Ｓ１３）。さらに、ＤＩＩおよびＤＤＢを受信し（Ｓ１４，Ｓ１５）、データ放送の再生を開始する（Ｓ１６）。このように、従来の処理では、ＰＭＴが受信されてからセクションデータの受信が行われる。
【００４６】
これに対して、図６の処理では、ある受信チャンネルについてデータ放送受信開始時にＰＭＴ受信要求があったとき（Ｓ２１）、ＰＭＴの受信を待機することなく、直ちに、キャッシュ部１２１に記憶されている当該チャンネルのＰＭＴに基づいてＰＳＩ／ＳＩおよびＤＩＩ，ＤＢＢの受信を開始する（Ｓ２２）。受信されたＰＳＩ／ＳＩデータおよびＤＩＩ，ＤＢＢのデータは一時的に蓄積しておく（Ｓ２３）。その後、ＰＭＴを受信したら（Ｓ２４）、この受信ＰＭＴが記憶ＰＭＴと同じかどうかをチェックする（Ｓ２５）。同じであれば、ステップＳ２３で蓄積されているＰＳＩ／ＳＩデータおよびＤＩＩ，ＤＢＢのデータを、アプリケーション（ここではデータ放送処理部１３２）に通知する（Ｓ２６）。これにより、データ放送再生が開始する（Ｓ２７）。
【００４７】
ステップＳ２５で、受信ＰＭＴが記憶ＰＭＴと一致しなかった場合、蓄積されたＰＳＩ／ＳＩデータおよびＤＩＩ、ＤＤＢを破棄し、受信ＰＭＴに基づいてＰＳＩ／ＳＩデータの受信を開始する（Ｓ２８）。さらに、ＤＩＩおよびＤＤＢを受信する（Ｓ２９，Ｓ３０）。その後、これらのセクションデータが表示可能な程度に収集されたら、データ放送再生を開始する（Ｓ２７）。
【００４８】
このように本実施の形態ではＰＭＴの受信の前に、記憶ＰＭＴに基づいてＰＳＩ／ＳＩデータおよびＤＩＩ、ＤＢＢ等を取得し、利用することができるので、データ放送再生開始の時期を早めることができる。また、ＥＩＴも先読みできるため、データ放送だけでなく、テレビの番組名も従来より速い時点で表示画面上に表示することが可能となる。本発明により短縮される時間は高々数百ｍ秒程度であるが、この数値は、いち早く内容を確認したい選局時のユーザによっては小さくない。
【００４９】
以上、本発明の好適な実施の形態について説明したが、上記以外にも種々の変形、変更を行うことが可能である。上記実施の形態で説明した機能をコンピュータで実現するための、コンピュータにインストールされるプログラムコード自体も本発明を構成するものである。つまり、本発明における特許請求の範囲に記載した要件を満たす機能を実現するコンピュータプログラム自体も本願発明に含まれる。なお、コンピュータプログラムとしては、プロセッサが直接に解釈し実行可能なオブジェクトコードプログラム、および、インタプリタにより実行されるプログラム、ＯＳまたはアプリケーション上で動作するスクリプトデータ形式のプログラム等、プログラムの形態は問わない。また、プログラムを供給するための「記録媒体」としては、例えば、磁気記憶媒体（フレキシブルディスク、ハードディスク、磁気テープ等）、光ディスク（ＭＯやＰＤ等の光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋ＲＷ等）、半導体ストレージ、紙テープ、などを挙げることができる。
【図面の簡単な説明】
【００５０】
【図１】図１に本実施の形態におけるデジタル放送受信装置の概略の内部構成を表したブロック図である。
【図２】１セグ放送のトランスポートストリームについての説明図である。
【図３】地上デジタル放送のサービス伝送モデルの説明図である。
【図４】従来のシーケンス（ａ）および本発明の実施の形態のシーケンスを示した図である。
【図５】データ放送受信開始から再生開始までの受信装置の従来の処理手順を表したフローチャートである。
【図６】データ放送受信開始から再生開始までの受信装置の本発明の処理手順を表したフローチャートである。
【符号の説明】
【００５１】
１００…デジタル放送受信装置
１０１…アンテナ
１０２…受信処理部
１０２ａ…チューナ
１０２ｂ…復調部
１０３…分離部
１０３ａ…セクションフィルタ
１０４…復号部
１０８…スピーカ
１０９…表示部
１１０…制御部
１１１…記憶部
１１３…操作部
１２０…キャッシュ部
１３１…ＡＶ処理部
１３２…データ放送処理部
【図１】
2010056959.tif 000003
【図２】
2010056959.tif 000004
【図３】
2010056959.tif 000005
【図４】
2010056959.tif 000006
【図５】
2010056959.tif 000007
【図６】
2010056959.tif 000008